(57)【特許請求の範囲】
【請求項１】
水膜スクリーン形成装置によって形成された水膜スクリーンに映写装置を用いて映像が映し出されるウオータスクリーン装置において、前記映写装置が前記水膜スクリーンの一方側に設置されて該水膜スクリーンに映像を映し出す一方側の映写装置と、前記水膜スクリーンの他方側に設置されて該水膜スクリーンに映像を映し出す他方側の映写装置とを備え、前記一方側の映写装置と前記他方側の映写装置は前記水膜スクリーンから等距離に設置し、前記一方側の映写装置によって水膜スクリーンに映し出される映像と前記他方側の映写装置によって水膜スクリーンに映し出される映像とを、同じ映像で同じ大きさを有し、かつ前記他方側の映写装置によって水膜スクリーンに映し出される映像は前記一方側の映写装置によって水膜スクリーンに映し出される映像に対して左右を反対にして、前記一方側の映写装置によって水膜スクリーンに映し出される映像と前記他方側の映写装置によって水膜スクリーンに映し出される映像とを一致させるように構成されていることを特徴とするウオータスクリーン装置。
【請求項２】
前記水膜スクリーン形成装置は、後端部に高圧水導入口を設けた筒体の前端を当板で塞ぎ、少なくとも前記筒体の中心を通る水平面より上側の上半部の周壁を前記当板に平行に切欠きして開口部を形成した水膜スクリーン形成ノズルである請求項１に記載のウオータスクリーン装置。
【発明の詳細な説明】
【０００１】
【発明の属する技術分野】
本発明は、ウオータスクリーン装置に係り、水膜スクリーンに映し出された映像を水膜スクリーンの一方側と他方側の両側から観賞できるようにしたウオータスクリーン装置に関する。
【０００２】
【従来の技術】
従来、ウオータスクリーン装置は、図６に示すように、水膜スクリーン形成ノズル１によって形成される水膜スクリーン８の一方側（図６における水膜スクリーン８の左側）１５に映写装置１４を設置し、この映写装置１４を用いて水膜スクリーン８に映像が映し出されるように構成してある。
【０００３】
ところが、水膜スクリーン８は、光の透過性に優れているので、水膜スクリーン８における映写装置１４に対向する一方の面８Ａに映し出される映像は不鮮明になり、一方の面８Ａの裏側の他方の面８Ｂに鮮明な映像が映し出される。このため、観客の映像観賞領域は、水膜スクリーン８の他方側（図６における水膜スクリーン８の右側）１６に片寄っていた。
【０００４】
【発明が解決しようとする課題】
従来のウオータスクリーン装置では、観客の映像観賞領域が水膜スクリーン８の他方側１６のみに片寄っているので、同時に映像を観賞できる最大観客数が他方側１６の収容人員に制限される。また、一方側１５は、単に映写装置１４の設置スペースとして活用しているだけのものにしか過ぎず、有効利用することなく無駄に放置されているともいえる。
【０００５】
そこで、本発明は、水膜スクリーン８の一方の面８Ａと他方の面８Ｂの両面のそれぞれに鮮明な映像を映し出すことによって、観客の映像観賞領域を水膜スクリーン８の一方側１５と他方側１６の両側に拡大し、同時に映像を観賞できる最大観客数が増大するとともに、一方側１５も他方側１６と同様に観客の映像観賞領域として有効に利用することができるウオータスクリーン装置を提供することを目的としている。
【０００６】
【課題を解決するための手段】
前記目的を達成するために、本発明に係るウオータスクリーン装置は、水膜スクリーン形成装置によって形成された水膜スクリーンに映写装置を用いて映像が映し出されるウオータスクリーン装置において、前記映写装置が前記水膜スクリーンの一方側に設置されて該水膜スクリーンに映像を映し出す一方側の映写装置と、前記水膜スクリーンの他方側に設置されて該水膜スクリーンに映像を映し出す他方側の映写装置とを備え、前記一方側の映写装置と前記他方側の映写装置は前記水膜スクリーンから等距離に設置し、前記一方側の映写装置によって水膜スクリーンに映し出される映像と前記他方側の映写装置によって水膜スクリーンに映し出される映像とを、同じ映像で同じ大きさを有し、かつ前記他方側の映写装置によって水膜スクリーンに映し出される映像は前記一方側の映写装置によって水膜スクリーンに映し出される映像に対して左右を反対にして、前記一方側の映写装置によって水膜スクリーンに映し出される映像と前記他方側の映写装置によって水膜スクリーンに映し出される映像とを一致させるように構成されていることを特徴としている。
また、前記水膜スクリーン形成装置は、後端部に高圧水導入口を設けた筒体の前端を当板で塞ぎ、少なくとも前記筒体の中心を通る水平面より上側の上半部の周壁を前記当板に平行に切欠きして開口部を形成した水膜スクリーン形成ノズルである。
【０００７】
本発明によれば、一方側の映写装置によって、水膜スクリーンにおける前記一方側の映写装置に対向する面の裏側の面に鮮明な映像が映し出され、他方側の映写装置によって、水膜スクリーンにおける前記他方側の映写装置に対向する面の裏側の面に、前記一方側の映写装置によって映し出された映像と同じ映像で同じ大きさを有し、かつ前記一方側の映写装置によって水膜スクリーンに映し出される映像に対して左右が反対になって一致した鮮明な映像が映し出される。このため、観客は、水膜スクリーンの一方側と他方側の両側から鮮明な映像を観賞することができる。
【０００８】
【発明の実施の形態】
以下、本発明の一実施の形態を図面に基づいて説明する。図１は本発明の一実施の形態を示す全体側面図、図２は水膜スクリーンの一部を拡大して示す縦断面図である。なお、前記図６で説明した従来のウオータスクリーン装置と同一もしくは相当部分には同一符号を付して説明する。
【０００９】
図１および図２において、ウオータスクリーン装置は、水膜スクリーン形成ノズル１によって形成される水膜スクリーン８の一方側（図１における水膜スクリーン８の左側）１５に、該水膜スクリーン８に映像を映し出す一方側の映写装置１４Ａが設置され、水膜スクリーン８の他方側（図１における水膜スクリーン８の右側）１６に、該水膜スクリーン８に映像を映し出す他方側の映写装置１４Ｂが設置されている。水膜スクリーン形成ノズル１は、たとえば水槽１７の水面より上位に設置され、ポンプ７Ａと高圧水供給管７Ｂとを備えた高圧水供給系７によって水槽１７内の水が循環して供給される。
【００１０】
一方側の映写装置１４Ａによって水膜スクリーン８に映し出される映像と他方側の映写装置１４Ｂによって水膜スクリーン８に映し出される映像は、同じ映像で同じ大きさを有し、かつ左右を反対にして一致させるように構成されている。このように、水膜スクリーン８に映し出される両映像を、同じ映像で同じ大きさを有し、かつ左右を反対にして一致させる方法としては、仕様が同一の一方側の映写装置１４Ａと他方側の映写装置１４Ｂを用意し、水膜スクリーン８から等しい距離を隔てて、一方側の映写装置１４Ａを一方側１５に、他方側の映写装置１４Ｂを他方側１６にそれぞれ設置し、同じ映写速度によって同期映写を行うとともに、他方側の映写装置１４Ｂには、一方側の映写装置１４Ａに使用される映写フィルムの映像をネガティブとして、同じ大きさを有し、かつ左右を反対にした映像が印画されている映写フィルムを使用する第１の方法あるいは仕様が同一の一方側の映写装置１４Ａと他方側の映写装置１４Ｂを用意し、水膜スクリーン８から等しい距離を隔てて、一方側の映写装置１４Ａを一方側１５に、他方側の映写装置１４Ｂを他方側１６にそれぞれ設置し、同じ映写速度によって同期映写を行うとともに、同じ映写フィルムを一方側の映写装置１４Ａと他方側の映写装置１４Ｂの両者で使用し、他方側の映写装置１４Ｂによって水膜スクリーン８に映し出される映像は反転ミラーなどを備えた光学的反転手段によって、一方側の映写装置１４Ａにより水膜スクリーン８に映し出される映像に対して左右を反転させる第２の方法などを挙げることができる。
【００１１】
前記構成によれば、一方側の映写装置１４Ａによって、水膜スクリーン８における一方側の映写装置１４Ａに対向する面８Ａの裏側の面８Ｂに鮮明な映像が映し出され、他方側の映写装置１４Ｂによって、水膜スクリーン８における他方側の映写装置１４Ｂに対向する面８Ｂの裏側の面８Ａに、一方側の映写装置１４Ａによって映し出された映像と同じ映像で同じ大きさを有し、かつ左右が反対になって一致した鮮明な映像が映し出される。このため、観客は、水膜スクリーンの一方側１５と他方側１６の両側から鮮明な映像を観賞することができる。
【００１２】
すなわち、図６で示した従来のウオータスクリーン装置のように、観客の映像観賞領域が水膜スクリーン８の他方側１６のみに片寄ることく、水膜スクリーン８の一方側１５と他方側１６の両側に拡大することができる。このため、従来のウオータスクリーン装置と比較して、同時に映像を観賞できる最大観客数が増大する。また、一方側１５も他方側１６と同様に観客の映像観賞領域として有効に利用して無駄を無くすことができる。
【００１３】
本発明に係るウオータスクリーン装置に好適な水膜スクリーン形成ノズル１として、本発明出願人によって既に提案されている水膜スクリーン形成ノズル１（特開平１０−７６１８６号公報）が挙げられる。この水膜スクリーン形成ノズル１は、図３および図４に示すように、後端部に高圧水導入口２を設けた筒体３の前端を当板４で塞ぎ、筒体３の中心Ｏを通る水平面５より上側の上半部の周壁３Ａおよび水平面５より少し下側の下半部の周壁３Ｂを当板４に平行に切欠して、開口部６を形成した構造になっている。高圧水導入口２には、ポンプ７Ａと高圧水供給配管７Ｂによってなる高圧水供給系７が接続される。
【００１４】
当板４における筒体３の水平面５の延長線より上側の形状は、楕円における長軸１０の上半部としてある。つまり、水平面５の延長線上に楕円の長軸１０を位置させている。そして、長軸１０方向の寸法ａが中心Ｏを通り長軸１０に直交する短軸１１方向の寸法２ｈよりも１．１倍ないし１．３倍（好ましくは１．２倍）大きく設定してある。なお、１２は複数の整流管、１３はカバ−を示す。
【００１５】
このように構成された水膜スクリーン形成ノズル１では、ポンプ７Ａを運転することにより、高圧水導入口２から筒体３に導入され複数の整流管１２によって整流された高圧水は、当板４に衝突したのち当板４に沿って開口部６から噴出する。当板４における筒体３の水平面５の延長線より上側の形状は、長軸１０方向の寸法ａを長軸１０に直交する短軸１１方向の寸法２ｈよりも１．１倍ないし１．３倍（好ましくは１．２倍）大きい楕円の上半部としてあるので、開口部６から噴出する高圧水と当板４との摩擦抵抗は、長軸１０およびその付近で最も大きく、ここから鉛直方向、すなわち短軸１１方向へ変位するにつれて漸次小さくなり、短軸１１およびその付近で最も小さくなる。このため、高圧水が当板４の外端４Ａから外側に噴出する速度は、長軸１０およびその付近で最も遅く、ここから短軸１１方向へ変位するにつれて漸次速くなり、短軸１１およびその付近で最も速くなる。
【００１６】
このような速度分布によって水を噴出させることができるので、高さＨを稼ぐために噴出速度を若干高めて、噴出距離を大きくしても、長軸１０方向およびその付近の噴出距離が抑えられ、水の噴出距離が制限される屋内でも図５に示すような略半円形の水膜スクリーン８を形成して、映像９を縮小することなく大きく映写することができる。
【００１７】
【発明の効果】
以上説明したように、本発明に係るウオータスクリーン装置は、一方側の映写装置によって、水膜スクリーンにおける前記一方側の映写装置に対向する面の裏側の面に鮮明な映像を映し出し、他方側の映写装置によって、水膜スクリーンにおける前記他方側の映写装置に対向する面の裏側の面に、前記一方側の映写装置によって映し出された映像と同じ映像で同じ大きさを有し、かつ前記一方側の映写装置によって水膜スクリーンに映し出される映像に対して左右が反対になって一致した鮮明な映像を映し出すので、観客は、水膜スクリーンの一方側と他方側の両側から鮮明な映像を観賞することができる。したがって、従来のウオータスクリーン装置と比較して、同時に映像を観賞できる最大観客数が増大する。また、水膜スクリーンの一方側も水膜スクリーンの他方側と同様に観客の映像観賞領域として有効に利用して無駄を無くすことができる。
【図面の簡単な説明】
【図１】  本発明の一実施の形態を示す全体側面図である。
【図２】  水膜スクリーンの一部を拡大して示す縦断面図である。
【図３】  本発明の実施に好適な水膜スクリーン形成ノズルを示す縦断側面図である。
【図４】  図３のＡ−Ａ線断面図である。
【図５】  図３および図４の水膜スクリーン形成ノズルによって形成される水膜スクリーンの一例を示す正面図である。
【図６】  従来のウオータスクリーン装置を示す全体側面図である。
【符号の説明】
１  水膜スクリーン形成ノズル（水膜スクリーン形成装置）
８  水膜スクリーン（ウオータスクリーン）
１４  映写装置
１４Ａ  一方側の映写装置
１４Ｂ  他方側の映写装置
１５  水膜スクリーンの一方側
１６  水膜スクリーンの他方側
【図１】
0004074731.tif 000002
【図２】
0004074731.tif 000003
【図３】
0004074731.tif 000004
【図４】
0004074731.tif 000005
【図５】
0004074731.tif 000006
【図６】
0004074731.tif 000007